(57)【要約】【課題】設定した撮影期間が適正か否かを一目で視認することが出来るＣＴ装置を提供する。【解決手段】造影剤による関心領域の染まり具合の変化を予測した予測造影曲線（Ａ，Ｂ）を画面に表示し、その予測造影曲線（Ａ，Ｂ）に対応付けて、操作者に設定された撮影期間（ｗ１，ｗ２，ｗ３，ｗ４）を画面に表示する。【効果】設定した撮影期間が適正か否かを一目で視認できるため、造影のタイミングに合わせて適正にスキャン計画することが出来る。【選択図】図３
2008113852.tif 000002
【特許請求の範囲】
【請求項１】
被検体に造影剤を注入した後の断層像撮影位置における関心領域のＣＴ値の時間変化を予測した予測造影曲線を記憶する予測造影曲線記憶手段と、被検体に造影剤を注入した後の前記断層像撮影位置における関心領域の撮影期間を操作者が設定するための撮影期間設定手段と、前記予測造影曲線を画面に表示すると共に該予測造影曲線に対応付けて前記操作者に設定された撮影期間を画面に表示する表示制御手段とを具備したことを特徴とするＣＴ装置。
【請求項２】
請求項１に記載のＣＴ装置において、前記表示制御手段は、時間を横軸としＣＴ値を縦軸とする曲線グラフで前記予測造影曲線を表示すると共に横軸に沿った帯状グラフで前記撮影期間を表示することを特徴とするＣＴ装置。
【請求項３】
請求項１または請求項２に記載のＣＴ装置において、前記撮影期間設定手段は、前記撮影期間を、非撮影期間を介在させて複数設定するための手段を含むことを特徴とするＣＴ装置。
【請求項４】
請求項１から請求項３のいずれかに記載のＣＴ装置において、前記表示制御手段は、複数の関心領域の予測造影曲線を共に表示することを特徴とするＣＴ装置。
【請求項５】
請求項１から請求項４のいずれかに記載のＣＴ装置において、前記予測造影曲線が、スキャン・プロトコルに対応して記憶されていることを特徴とするＣＴ装置。
【請求項６】
請求項１から請求項５のいずれかに記載のＣＴ装置において、前記撮影期間がデフォルトで設定されており、前記表示制御手段は、前記デフォルトの撮影期間を初期画面に表示することを特徴とするＣＴ装置。
【請求項７】
請求項６に記載のＣＴ装置において、画面に表示する予測造影曲線を基に前記デフォルトの撮影期間を作成するデフォルト撮影期間作成手段を具備したことを特徴とするＣＴ装置。
【請求項８】
請求項６に記載のＣＴ装置において、過去に設定された撮影期間を基に前記デフォルトの撮影期間を作成するデフォルト撮影期間作成手段を具備したことを特徴とするＣＴ装置。
【発明の詳細な説明】
【技術分野】
【０００１】
本発明は、ＣＴ装置に関し、さらに詳しくは、設定した撮影期間が適正か否かを一目で視認でき、造影のタイミングに合わせて適正にスキャン計画することが出来るＣＴ装置に関する。
【背景技術】
【０００２】
従来、被検体に造影剤を注入し、断層像撮影位置に低Ｘ線スキャンを行い、この断層像上の関心領域のＣＴ値に基づいて高Ｘ線スキャンに切り換えるＸ線ＣＴ装置が知られており、例えば、特許文献１には、そのようなＸ線ＣＴ装置において、ＣＴ値の時間的変化を示す曲線を表示する手段を備え、低Ｘ線スキャンのＣＴ値又はその曲線の勾配などの情報から高Ｘ線スキャン開始のタイミングを決定することが可能なＸ線ＣＴ装置が開示されている。
【０００３】
【特許文献１】特開２００４−１１３７７９号公報
【発明の開示】
【発明が解決しようとする課題】
【０００４】
しかしながら、近年においては、多列検出器の使用や撮影速度の高速化等により、撮影時間が数秒単位と短くなっているため、上記従来の方法では、ＣＴ値変化の進行を表示したとしてもリアルタイムでの適正な撮影期間の設定が困難であるという問題点があった。特に、造影剤の染まる程度に応じた複数時相撮影の場合は、それぞれの時相の撮影期間を造影剤の染まり具合に合わせて設定するのが困難であった。
そこで、本発明の目的は、設定した撮影期間が適正か否かを一目で視認でき、造影のタイミングに合わせて適正にスキャン計画することが出来るＣＴ装置を提供することにある。
【課題を解決するための手段】
【０００５】
第１の観点では、本発明は、被検体に造影剤を注入した後の断層像撮影位置における関心領域のＣＴ値の時間変化を予測した予測造影曲線を記憶する予測造影曲線記憶手段と、被検体に造影剤を注入した後の前記断層像撮影位置における関心領域の撮影期間を操作者が設定するための撮影期間設定手段と、前記予測造影曲線を画面に表示すると共に該予測造影曲線に対応付けて前記操作者に設定された撮影期間を画面に表示する表示制御手段とを具備したことを特徴とするＣＴ装置を提供する。
上記第１の観点によるＣＴ装置では、予測造影曲線を画面に表示し、その予測造影曲線に対応付けて、操作者に設定された撮影期間を画面に表示する。これにより、設定した撮影期間が適正か否かを一目で視認できるため、造影のタイミングに合わせて適正にスキャン計画することが出来る。
【０００６】
第２の観点では、本発明は、前記第１の観点によるＣＴ装置において、前記表示制御手段は、時間を横軸としＣＴ値を縦軸とする曲線グラフで前記予測造影曲線を表示すると共に横軸に沿った帯状グラフで前記撮影期間を表示することを特徴とするＣＴ装置を提供する。
上記第２の観点によるＣＴ装置では、ＣＴ値の時間変化を表す予測造影曲線の曲線グラフと、撮影開始及び撮影終了のタイミングを表す撮影期間の帯状グラフとで、設定した撮影期間が適正か否かを一目で視認できる。
【０００７】
第３の観点では、本発明は、前記第１または前記第２の観点によるＣＴ装置において、前記撮影期間設定手段は、前記撮影期間を、非撮影期間を介在させて複数設定するための手段を含むことを特徴とするＣＴ装置を提供する。
上記第３の観点によると、例えば、造影剤の染まる程度に応じた複数時相撮影の場合等において、複数の撮影期間を設定する場合において、設定した撮影期間が適正か否かを造影曲線と照らし合わせて一目で視認できるため、造影剤の染み込み具合に応じたタイミングに合わせて適正にスキャン計画することが出来る。
【０００８】
第４の観点では、本発明は、前記第１から第３のいずれかの観点によるＣＴ装置において、前記表示制御手段は、複数の関心領域の予測造影曲線を共に表示することを特徴とするＣＴ装置を提供する。
上記第４の観点によると、例えば動脈と静脈など、断層像内における複数の関心領域について、同時に表示できるため、設定した撮影期間が、複数の関心領域について適正か否かを一目で視認できるため、造影のタイミングに合わせて適正にスキャン計画することが出来る。
【０００９】
第５の観点では、本発明は、前記第１から前記第４のいずれかの観点によるＣＴ装置において、前記予測造影曲線が、スキャン・プロトコルに対応して記憶されていることを特徴とするＣＴ装置を提供する。
上記第５の観点によるＣＴ装置では、種々のスキャン・プロトコルに最適の予測造影曲線を用いることが出来る。
【００１０】
第６の観点では、本発明は、前記第１から前記第５のいずれかの観点によるＣＴ装置において、前記撮影期間がデフォルトで設定されており、前記表示制御手段は、前記デフォルトの撮影期間を初期画面に表示することを特徴とするＣＴ装置を提供する。
上記第６の観点によるＣＴ装置では、デフォルトの撮影期間を初期画面に表示するので、それを基にすることで容易に操作者がスキャン計画を行うことが出来る。
【００１１】
第７の観点では、本発明は、前記第６の観点によるＣＴ装置において、画面に表示する予測造影曲線を基に前記デフォルトの撮影期間を作成するデフォルト撮影期間作成手段を具備したことを特徴とするＣＴ装置を提供する。
上記第７の観点によるＣＴ装置では、予測造影曲線からデフォルトの撮影期間を作成するので、操作者による変更操作を最少にすることが出来る。
【００１２】
第８の観点では、本発明は、前記第６の観点によるＣＴ装置において、過去に設定された撮影期間を基に前記デフォルトの撮影期間を作成するデフォルト撮影期間作成手段を具備したことを特徴とするＣＴ装置を提供する。
上記第８の観点によるＣＴ装置では、学習結果からデフォルトの撮影期間を作成するので、操作者による変更操作を最少にすることが出来る。
【発明の効果】
【００１３】
本発明のＣＴ装置によれば、予測造影曲線を画面に表示し、その予測造影曲線に対応付けて、操作者に設定された撮影期間を画面に表示するので、設定した撮影期間が適正か否かを一目で視認できる。このため、造影のタイミングに合わせて適正にスキャン計画することが出来る。
【発明を実施するための最良の形態】
【００１４】
以下、図に示す実施の形態により本発明をさらに詳細に説明する。なお、これにより本発明が限定されるものではない。
【実施例１】
【００１５】
図１は、実施例１にかかるＸ線ＣＴ装置１００の構成ブロック図である。
このＸ線ＣＴ装置１００は、操作コンソール１と、テーブル装置１０と、走査ガントリ２０とを具備している。
【００１６】
操作コンソール１は、操作者の入力を受け付ける入力装置２と、画像再構成処理などを実行する中央処理装置３と、走査ガントリ２０で取得した投影データを収集するデータ収集バッファ５と、投影データから再構成した断層像を表示する表示装置６と、プログラムやデータやＸ線断層像を記憶する記憶装置７とを具備している。
【００１７】
記憶装置７には、次のいずれかの予測造影曲線がスキャン・プロトコルに対応して記憶されている。
（１）本撮影を行う被検体とは異なる複数の被検体について予め実測したデータを基に作成した平均的な予測造影曲線。
（２）本撮影を行う被検体に試験用の微量の造影剤を注入し、断層像撮影位置でのＣＴ値の時間変化を実測し、得られたデータを基に作成した予測造影曲線。
（３）操作者が別の機会に得たＣＴ値の時間変化を予め登録した予測造影曲線。
【００１８】
また、記憶装置７には、記憶している予測造影曲線に対応して、次のいずれかのスキャン計画がデフォルトのスキャン計画として記憶されている。
（１）標準的なスキャン計画。
（２）過去に設定されたスキャン計画。
【００１９】
テーブル装置１０は、被検体を乗せて走査ガントリ２０のボア（空洞部）に入れ出しするクレードル１２を具備している。クレードル１２は、テーブル装置１０に内蔵するモータで昇降（ｙ軸方向）および直線移動（ｚ軸方向）される。
【００２０】
走査ガントリ２０は、Ｘ線管２１と、Ｘ線コントローラ２２と、コリメータ２３と、多列Ｘ線検出器２４と、ＤＡＳ（Data Acquisition System）２５と、被検体の体軸の回りにＸ線管２１などを回転させる回転コントローラ２６と、走査ガントリ２０を回転軸の前方または後方に傾斜させるときの制御を行うチルトコントローラ２７と、制御信号などを操作コンソール１や寝台装置１０とやり取りする制御コントローラ２９と、スリップリング３０とを具備している。
【００２１】
クレードル１２の直線移動量はテーブル装置１０に内蔵するエンコーダによりカウントされ、制御コントローラ２９にて直線移動量からクレードル１２のｚ軸座標を算出し、スリップリング３０を経由してＤＡＳ２５にｚ軸座標が送られる。
【００２２】
多列Ｘ線検出器２４で得られた投影データは、ＤＡＳ２５でＡＤ変換され、ｚ軸座標を付加され、スリップリング３０を経由し、データ収集バッファ５へ転送される。
【００２３】
中央処理装置３は、データ収集バッファ５に収集した投影データに対して、前処理および画像再構成処理を行ない、断層像を生成し、断層像を表示装置６に表示する。
【００２４】
図２は、Ｘ線ＣＴ装置１００を用いたスキャン計画設定処理の手順を示すフロー図である。
ステップＰ１では、操作者は、入力装置２を操作して、スキャン・プロトコルを選択する。例えば、腕の動脈に造影剤を注入し、心臓の少し下から肝臓をカバーする範囲を４回の時相でヘリカル撮影するスキャン・プロトコルを選択する。
【００２５】
ステップＰ２では、中央処理装置３は、記憶装置７に種々のスキャン・プロトコルに対応して記憶されている予測造影曲線の中から、選択されたスキャン・プロトコルに対応する予測造影曲線およびデフォルトのスキャン計画を読み出す。
【００２６】
ステップＰ３では、中央処理装置３は、読み出した予測造影曲線およびデフォルトのスキャン計画を、図３に示す曲線グラフＡ，Ｂおよび帯状グラフ＃１〜＃４のように表示装置６に表示する。例えば、曲線グラフＡは、腕の動脈に造影剤を注入した場合における関心領域である腹部大動脈（心臓の少し下での動脈）のＣＴ値の時間変化である。曲線グラフＢは、腕の動脈に造影剤を注入した場合における関心領域である腹部大静脈（心臓の少し下での静脈）のＣＴ値の時間変化である。帯状グラフ＃１は、造影剤の注入開始時から時間ｔ１後に開始し、時間ｗ１だけ継続するヘリカル撮影である。帯状グラフ＃２は、＃１のヘリカル撮影の終了時から時間ｔ２後に開始し、時間ｗ２だけ継続するヘリカル撮影である。帯状グラフ＃３は、＃２のヘリカル撮影の終了時から時間ｔ３後に開始し、時間ｗ３だけ継続するヘリカル撮影である。帯状グラフ＃４は、＃３のヘリカル撮影の終了時から時間ｔ４後に開始し、時間ｗ４だけ継続するヘリカル撮影である。尚、造影剤を注入してから最初の撮影の開始前、前の撮影の終了から次の撮影の開始までは、非撮影期間である。
【００２７】
ステップＰ４では、操作者は、予測造影曲線およびスキャン計画の表示を見てスキャン計画を再入力するか否かを判断し、入力装置２を操作して指示する。中央処理装置３は、スキャン計画を再入力しない指示なら処理を終了する（この後、設定されたスキャン計画により本撮影を行う）。スキャン計画を再入力する指示ならステップＰ５へ進む。
【００２８】
ステップＰ５では、操作者は、入力装置２を操作して、現在のスキャン計画を所望のスキャン計画に変更する。
ステップＰ６では、中央処理装置３は、予測造影曲線および新たなスキャン計画を表示装置６に表示する。そして、ステップＰ４に戻る。
【００２９】
実施例１のＸ線ＣＴ装置１００によれば、予測造影曲線を画面に表示すると共にその予測造影曲線に対応付けてスキャン計画を画面に表示するから、設定したスキャン計画が適正か否かを一目で視認できる。よって、造影のタイミングに合わせて適正にスキャン計画することが出来る。
【実施例２】
【００３０】
図４に示すフロー図のステップＳ２のように、本撮影を行う被検体に試験用の微量の造影剤を注入し、断層像撮影位置でのＣＴ値の時間変化を実測し、得られたデータを基に作成した予測造影曲線を用いる場合は、ステップＳ３のように、その予測造影曲線を基にデフォルトのスキャン計画を作成してもよい（例えば、動脈でのＣＴ値の時間変化のピークおよびその近傍を第１の撮影期間とし、ピークから下がり始める期間を第２の撮影期間とし、第２の撮影期間から一定時間後の一定期間を第３の撮影期間とし、第３の撮影期間から一定時間後の一定期間を第４の撮影期間とする）。
【産業上の利用可能性】
【００３１】
本発明のＣＴ装置は、造影剤を用いた断層像撮影に利用できる。
【図面の簡単な説明】
【００３２】
【図１】実施例１に係るＸ線ＣＴ装置を示すブロック図である。
【図２】実施例１に係るスキャン計画設定処理の手順を示すフロー図である。
【図３】画面に表示される予測造影曲線とスキャン計画を示す例示図である。
【図４】実施例２に係るスキャン計画設定処理の手順を示すフロー図である。
【符号の説明】
【００３３】
１          操作コンソール
２          入力装置
３          中央処理装置
６          表示装置
７          記憶装置
１０        テーブル装置
２０        走査ガントリ
１００      Ｘ線ＣＴ装置
【図１】
2008113852.tif 000003
【図２】
2008113852.tif 000004
【図３】
2008113852.tif 000005
【図４】
2008113852.tif 000006